【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
遊技機に設けられる電気部品を制御するための制御処理を行う電気部品制御手段と、
ワークメモリとして用いられ電源バックアップされている記憶手段と、
遊技機が使用する電源電圧を監視し、電圧低下を検出したときに検出信号を出力する第１の電源監視手段と、
前記第１の電源監視手段と同じ、または異なる電源電圧を監視し、前記第１の電源監視手段が検出信号を出力したあとであって前記電気部品制御手段が動作する電圧値であるときに成立する第２の条件が成立したときにシステムリセット信号を出力可能な第２の電源監視手段とを備え、
前記電気部品制御手段が搭載された電気部品制御基板には、前記電気部品制御手段が電気部品の制御にかかわる指令信号を出力するための出力ポートが設けられ、
前記電気部品制御手段は、
前記第１の電源監視手段からの検出信号により前記記憶手段の記憶内容が正常であるか否かを診断するためのチェックデータを生成して当該記憶手段に保存する処理を含む電力供給停止時処理を実行する電力供給停止時処理実行手段と、
電力供給停止時処理にて前記電気部品の作動を停止させるためのクリア信号を出力して、前記クリア信号にもとづいて前記出力ポートをオフ状態とするクリア手段と、
前記第２の電源監視手段からの前記システムリセット信号に応じてシステムリセットするリセット手段とを有する
ことを特徴とする遊技機。
【請求項２】
遊技機は遊技者が所定の遊技を行った結果が所定の態様となった場合に遊技者に有利な特定遊技状態に制御可能であって、
電気部品制御手段は、前記特定遊技状態で開閉される大入賞口の開放を指示する指令信号を出力し、
前記大入賞口は、クリア信号によって閉状態とされる
ことを特徴とする請求項１記載の遊技機。
【請求項３】
第１の電源監視手段は、直流変換された直後の電位電源を監視する
ことを特徴とする請求項１または請求項２記載の遊技機。
【請求項４】
第１の電源監視手段は、電気部品制御手段が搭載された電気部品制御基板とは別個に設けられた電源基板に搭載され、
第２の電源監視手段は、前記電気部品制御基板に搭載されている
ことを特徴とする請求項１ないし請求項３記載の遊技機。
【請求項５】
第１の電源監視手段および第２の電源監視手段は、遊技機で使用される電源電圧を監視し、電圧値に応じて検出信号またはシステムリセット信号を出力し、前記第２の電源監視手段がシステムリセット信号を出力する電圧値は、前記第１の電源監視手段が検出信号を出力する電圧値よりも低く設定される
ことを特徴とする請求項１ないし請求項４記載の遊技機。
【請求項６】
電気部品制御手段は、電力供給停止時処理においてバックアップ記憶が格納されている領域へのアクセスを禁止する処理を実行する
ことを特徴とする請求項１ないし請求項５記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技者が所定の遊技を行うことが可能な遊技機であって、遊技機に設けられる電気部品（大入賞口、可変入賞球装置１５、払出モータ２８９など）を制御するための制御処理を行う電気部品制御手段と、ワークメモリとして用いられ電源バックアップされている記憶手段と、遊技機が使用する電源電圧を監視し、電圧低下を検出したときに検出信号を出力する第１の電源監視手段と、第１の電源監視手段と同じ、または異なる電源電圧を監視し、第１の電源監視手段が検出信号を出力したあとであって電気部品制御手段が動作する電圧値であるときに成立する第２の条件が成立したときにシステムリセット信号を出力可能な第２の電源監視手段とを備え、電気部品制御手段が搭載された電気部品制御基板には、電気部品制御手段が電気部品の制御にかかわる指令信号を出力するための出力ポートが設けられ、電気部品制御手段は、第１の電源監視手段からの検出信号により記憶手段の記憶内容が正常であるか否かを診断するためのチェックデータを生成して当該記憶手段に保存する処理を含む電力供給停止時処理を実行する電力供給停止時処理実行手段と、電力供給停止時処理にて前記電気部品の作動を停止させるためのクリア信号を出力して、クリア信号にもとづいて前記出力ポートをオフ状態とするクリア手段と、第２の電源監視手段からのシステムリセット信号に応じてシステムリセットするリセット手段とを有することを特徴とする。なお、電気部品制御手段の例として、遊技進行を制御する遊技制御手段や、遊技媒体の払出制御を行う払出制御手段がある。


【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
第１の電源監視手段は、直流変換された直後の電位電源を監視することを特徴とする構成であってもよい。


【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
第１の電源監視手段は、電気部品制御手段が搭載された電気部品制御基板とは別個に設けられた電源基板に搭載され、第２の電源監視手段は、電気部品制御基板に搭載されていることを特徴とするよう構成されていてもよい。


【手続補正８】
【補正対象書類名】明細書
【補正対象項目名】００１７
【補正方法】変更
【補正の内容】
【００１７】
第１の電源監視手段および第２の電源監視手段は、遊技機で使用される電源電圧を監視し、電圧値に応じて検出信号またはシステムリセット信号を出力し、第２の電源監視手段がシステムリセット信号を出力する電圧値は、第１の電源監視手段が検出信号を出力する電圧値よりも低く設定されるように構成されていてもよい。


【手続補正９】
【補正対象書類名】明細書
【補正対象項目名】０２８８
【補正方法】変更
【補正の内容】
【０２８８】
【発明の効果】
以上のように、本発明によれば、遊技機を、遊技機に設けられる電気部品を制御するための制御処理を行う電気部品制御手段と、ワークメモリとして用いられ電源バックアップされている記憶手段と、遊技機が使用する電源電圧を監視し、電圧低下を検出したときに検出信号を出力する第１の電源監視手段と、第１の電源監視手段と同じ、または異なる電源電圧を監視し、第１の電源監視手段が検出信号を出力したあとであって電気部品制御手段が動作する電圧値であるときに成立する第２の条件が成立したときにシステムリセット信号を出力可能な第２の電源監視手段とを備え、電気部品制御手段が搭載された電気部品制御基板には、電気部品制御手段が電気部品の制御にかかわる指令信号を出力するための出力ポートが設けられ、電気部品制御手段は、第１の電源監視手段からの検出信号により記憶手段の記憶内容が正常であるか否かを診断するためのチェックデータを生成して当該記憶手段に保存する処理を含む電力供給停止時処理を実行する電力供給停止時処理実行手段と、電力供給停止時処理にて電気部品の作動を停止させるためのクリア信号を出力して、クリア信号にもとづいて出力ポートをオフ状態とするクリア手段と、第２の電源監視手段からのシステムリセット信号に応じてシステムリセットするリセット手段とを有する構成としたので、クリア信号によって停止状態となる前に電気部品の作動を停止させることができ、電気部品制御手段に制御される電気部品を適切な状態として電源断状態とすることができるため、適切な停止状態で電源復旧を待機することができる。また、停止状態となる前に出力ポートがクリアされることにより、停止状態となる前に電気部品の作動を停止させることができ、電気部品制御手段に制御される電気部品を適切な状態として電源断状態とすることができるため、適切な停止状態で電源復旧を待機することができる。また、所定の電力供給停止時処理を確実に実行することができる。従って、電力供給停止時処理の実行の際のクリア信号出力を確実に行うことができる。さらに、第１の電源監視手段による検出信号出力のあとに第２の条件が成立するように調整することにより、電力供給停止時処理の完了後にシステムリセットされるよう構成することができるため、電源断状態となる前に電力供給停止時処理を確実に完了させることができる。従って、電源断状態となる前に、確実に電気部品の作動を停止させることができる。
【手続補正１０】
【補正対象書類名】明細書
【補正対象項目名】０２８９
【補正方法】削除
【補正の内容】
【手続補正１１】
【補正対象書類名】明細書
【補正対象項目名】０２９１
【補正方法】削除
【補正の内容】
【手続補正１２】
【補正対象書類名】明細書
【補正対象項目名】０２９２
【補正方法】変更
【補正の内容】
【０２９２】
第１の電源監視手段が、直流変換された直後の電位電源を監視するとした場合には、早期に電源電圧の低下を検出することができるため、電源電圧の低下にもとづく電力供給停止時処理などの対応を迅速にとることができる。


【手続補正１３】
【補正対象書類名】明細書
【補正対象項目名】０２９３
【補正方法】削除
【補正の内容】
【手続補正１４】
【補正対象書類名】明細書
【補正対象項目名】０２９４
【補正方法】変更
【補正の内容】
【０２９４】
第１の電源監視手段が、電気部品制御手段が搭載された電気部品制御基板とは別個に設けられた電源基板に搭載され、第２の電源監視手段が、電気部品制御基板に搭載されているとした場合には、第１の電源監視手段による検出信号を各電気部品制御基板にてそれぞれ取り込むことができるため、１つの電源監視手段からの検出信号を各電気部品制御基板でそれぞれ利用することができる。すなわち、簡単な構成で電源の監視を行うことができる。


【手続補正１５】
【補正対象書類名】明細書
【補正対象項目名】０２９５
【補正方法】変更
【補正の内容】
【０２９５】
第１の電源監視手段および第２の電源監視手段は、遊技機で使用される電源電圧を監視し、電圧値に応じて検出信号またはシステムリセット信号を出力し、第２の電源監視手段がシステムリセット信号を出力する電圧値が、第１の電源監視手段が検出信号を出力する電圧値よりも低く設定されるとした場合には、電力供給停止時処理の完了後にシステムリセットすることができるため、電源断状態となる前に、電力供給停止時処理を確実に完了させることができる。従って、電源断状態となる前に、確実に電気部品の作動を停止させることができる。